(57)【要約】【課題】  集合玄関に設置されているオートドアを通過する前に、来訪者や帰宅者が内部の共用部の状況を把握することができる集合住宅インターホンシステムを提供する。【解決手段】  集合玄関機１及びフロア玄関機５ａ〜５ｃに、監視カメラ１０ａ〜１０ｃ等の撮像映像を出画するモニタ１６を設け、対応したオートドア設備２，６ａ〜６ｃの電気錠キー読み取り装置３，７ａ〜７ｃを接続した。集合玄関機１に対応した電気錠キー読み取り装置３が解錠操作を受けると、制御機９はフロア玄関機５ａ〜５ｃのカメラ、及び監視カメラ１０ａ〜１０ｃのうち少なくとも何れかの撮像映像を集合玄関機１のモニタ１６に出画させ、フロア玄関機５ａ〜５ｃに対応した電気錠キー読み取り装置７ａ〜７ｃが解錠操作されたら監視カメラ１０ａ〜１０ｃの撮像映像をフロア玄関機５ａ〜５ｃのモニタ１６に出画させた。【選択図】  図１
2008079107.tif 000002
【特許請求の範囲】
【請求項１】
集合玄関に設置されて居住者を呼び出すための集合玄関機と、各住戸内に設置されて呼び出しに応答するための居室親機と、廊下等共用部に設置された監視カメラと、前記集合玄関機と前記居室親機の間の通話等を制御する制御機とを有する集合住宅インターホンシステムであって、
前記集合玄関機は、前記監視カメラの撮像映像を出画するモニタを備える一方、前記制御機は、前記集合玄関機が呼出操作されると、前記監視カメラの撮像映像を前記モニタに出画させる出画制御手段を有することを特徴とする集合住宅インターホンシステム。
【請求項２】
集合玄関に設置されて居住者を呼び出すための集合玄関機と、各住戸内に設置されて呼び出しに応答するための居室親機と、廊下等共用部に設置された監視カメラと、前記集合玄関機に対応して設置されたオートドア設備と、前記集合玄関機と前記居室親機の間の通話等を制御する制御機とを有する集合住宅インターホンシステムであって、
前記集合玄関機は、対応した前記オートドア設備を解錠するための電気錠キー読み取り装置が接続され、解錠操作を受けて読み取った解錠信号を前記制御機に送信する玄関機制御手段を有すると共に、前記監視カメラの撮像映像を出画するモニタを備え、
前記制御機は、前記集合玄関機から解錠信号を受信すると、前記監視カメラの撮像映像を前記モニタに出画させる出画制御手段を有することを特徴とする集合住宅インターホンシステム。
【請求項３】
集合玄関に設置されて居住者を呼び出すためのカメラ付の集合玄関機と、各フロアに設置されて居住者を呼び出すためのカメラ付のフロア玄関機と、前記集合玄関機及び前記フロア玄関機の夫々に対応して設置されたオートドア設備と、各住戸内に設置されて呼び出しに応答するための居室親機と、前記集合玄関機、前記フロア玄関機と前記居室親機の間の通話等を制御する制御機とを有し、訪問先住戸に達するまでに少なくとも２つのオートドア設備の通過を必要とする集合住宅インターホンシステムであって、
前記集合玄関機は、前記フロア玄関機のカメラ撮像映像を出画するモニタを備える一方、前記制御機は、前記集合玄関機が呼出操作されると、前記フロア玄関機カメラの撮像映像を前記モニタに出画させる出画制御手段を有することを特徴とする集合住宅インターホンシステム。
【請求項４】
集合玄関に設置されて居住者を呼び出すためのカメラ付の集合玄関機と、各フロアに設置されて居住者を呼び出すためのカメラ付のフロア玄関機と、前記集合玄関機及び前記フロア玄関機の夫々に対応して設置されたオートドア設備と、各住戸内に設置されて呼び出しに応答するための居室親機と、前記集合玄関機、前記フロア玄関機と前記居室親機の間の通話等を制御する制御機とを有し、帰宅するまでに少なくとも２つのオートドア設備の通過を必要とする集合住宅インターホンシステムであって、
前記集合玄関機は、対応した前記オートドア設備を解錠するための電気錠キー読み取り装置が接続され、解錠操作を受けて読み取った解錠信号を前記制御機に送信する玄関機制御手段を有すると共に、前記監視カメラ等の撮像映像を出画するモニタを備え、
前記制御機は、前記集合玄関機から解錠信号を受信すると、前記フロア玄関機カメラの撮像映像を前記モニタに出画させる出画制御手段を有することを特徴とする集合住宅インターホンシステム。
【請求項５】
集合玄関に設置されて居住者を呼び出すためのカメラ付の集合玄関機と、各フロアに設置されて居住者を呼び出すためのカメラ付のフロア玄関機と、前記集合玄関機及びフロア玄関機の夫々に対応して設置されたオートドア設備と、各住戸内に設置されて呼び出しに応答するための居室親機と、廊下等共用部に設置された監視カメラと、前記集合玄関機、前記フロア玄関機と前記居室親機との間の通話等を制御する制御機とを有し、訪問先住戸に達するまでに少なくとも２つのオートドア設備の通過を必要とする集合住宅インターホンシステムであって、
前記集合玄関機及び前記フロア玄関機は、前記カメラ或いは監視カメラの撮像映像を出画するモニタを備える一方、
前記制御機は、前記集合玄関機が呼び出し操作されると、前記フロア玄関機のカメラ、前記監視カメラの少なくとも何れかの撮像映像を前記集合玄関機のモニタに出画させ、前記フロア玄関機が呼び出し操作されたら前記監視カメラの撮像映像を前記フロア玄関機のモニタに出画させる出画制御手段を有することを特徴とする集合住宅インターホンシステム。
【請求項６】
集合玄関に設置されて居住者を呼び出すためのカメラ付の集合玄関機と、各フロアに設置されて居住者を呼び出すためのカメラ付のフロア玄関機と、前記集合玄関機及びフロア玄関機の夫々に対応して設置されたオートドア設備と、各住戸内に設置されて呼び出しに応答するための居室親機と、廊下等の共用部に設置された監視カメラと、前記集合玄関機、前記フロア玄関機と前記居室親機との間の通話等を制御する制御機とを有し、帰宅するまでに少なくとも２つのオートドア設備の通過を必要とする集合住宅インターホンシステムであって、
前記集合玄関機及び前記フロア玄関機は、対応した前記オートドア設備を解錠するための電気錠キー読み取り装置が接続され、解錠操作を受けて読み取った解錠信号を前記制御機に送信する玄関機制御手段を有すると共に、前記監視カメラ等の撮像映像を出画するモニタを備え、
前記制御機は、前記集合玄関機から解錠信号を受信すると、前記フロア玄関機カメラ、前記監視カメラの少なくとも何れかの撮像映像を前記集合玄関機のモニタに出画させ、前記フロア玄関機から解錠信号を受信すると、前記監視カメラの撮像映像を前記フロア玄関機のモニタに出画させる出画制御手段を有することを特徴とする集合住宅インターホンシステム。
【請求項７】
前記制御機は、各住戸と前記フロア玄関機カメラ、前記監視カメラとを関連付けたカメラ情報を記憶するカメラ情報記憶手段を有し、前記出画制御手段は、受信した前記集合玄関機或いは前記フロア玄関機からの呼出先情報、又は前記解錠信号に含まれる住戸情報に基づいて、前記カメラ情報から関連するカメラを選択し、前記モニタに出画する制御を行うことを特徴とする請求項５又は６記載の集合住宅インターホンシステム。
【請求項８】
前記出画制御手段は、前記カメラ情報記憶手段に出画すべきカメラが複数登録されている場合は、登録されたフロア玄関機カメラ、監視カメラの撮像映像を順次切り替えて前記モニタに出画させることを特徴とする請求項７記載の集合住宅インターホンシステム。
【発明の詳細な説明】
【技術分野】
【０００１】
本発明は、集合住宅インターホンシステムに関し、詳しくは集合玄関において集合住宅内の状況を確認可能とした集合住宅インターホンシステムに関する。
【背景技術】
【０００２】
集合玄関機にカメラを設置すると共に、居室親機にモニタを設けて、呼び出しが成された際に居室親機から来訪者を確認できる集合住宅インターホンシステムが広く利用されている。この構成により、呼び出しが成された時点で来訪者を確認することができるため、防犯に有効なものとなっている。しかし、来訪者に紛れて電気錠が解除された集合玄関のオートドアから不審者が入ってきた場合、モニタに映らないので確認することができなかった。
そのため、本出願人は特許文献１に示す構成の集合住宅インターホンを提案した。これは、オートドアを撮影できるオートドアカメラを設置して、オートドアを通過する来訪者等を居室親機のモニタで確認できる構成となっている。
【特許文献１】特開２０００−１０１７３１号公報
【発明の開示】
【発明が解決しようとする課題】
【０００３】
上記特許文献１の集合住宅インターホンシステムは、居住者がオートドアから入ってくる来訪者を確認することができるので、不審者が来訪者の後から入って来た場合はそれを知ることができる。また、不審者が一旦集合住宅内に侵入してしまった場合は、居住者や管理人は共用部に設置されている監視カメラでそれを確認することが可能である。
しかし、来訪者や帰宅者は、不審者が集合住宅内に、ましてこれから訪問しようとしている住戸、或いは帰宅する自宅近くに不審者が居ても、実際に遭遇するまでそれを知る手立てがない。
そこで、本発明はこのような問題点に鑑み、来訪者や帰宅者が集合玄関に設置されているオートドアを通過する前に、内部の共用部の状況を把握することができる集合住宅インターホンシステムを提供することを目的とする。
【課題を解決するための手段】
【０００４】
上記課題を解決する為に、請求項１に記載の発明は、集合玄関に設置されて居住者を呼び出すための集合玄関機と、各住戸内に設置されて呼び出しに応答するための居室親機と、廊下等共用部に設置された監視カメラと、集合玄関機と居室親機の間の通話等を制御する制御機とを有する集合住宅インターホンシステムであって、集合玄関機は、監視カメラの撮像映像を出画するモニタを備える一方、制御機は、集合玄関機が呼出操作されると、監視カメラの撮像映像をモニタに出画させる出画制御手段を有することを特徴とする。
この構成によれば、訪問先を呼び出した時に、廊下等に設置された監視カメラの撮像映像を集合玄関機で見ることができるので、来訪者は集合住宅内に入る前に共用部に不審者がいないかどうか確認することができ、防犯に効果を奏する。
【０００５】
請求項２の発明は、集合玄関に設置されて居住者を呼び出すための集合玄関機と、各住戸内に設置されて呼び出しに応答するための居室親機と、廊下等共用部に設置された監視カメラと、集合玄関機に対応して設置されたオートドア設備と、集合玄関機と居室親機の間の通話等を制御する制御機とを有する集合住宅インターホンシステムであって、集合玄関機は、対応したオートドア設備を解錠するための電気錠キー読み取り装置が接続され、解錠操作を受けて読み取った解錠信号を制御機に送信する玄関機制御手段を有すると共に、監視カメラの撮像映像を出画するモニタを備え、制御機は、集合玄関機から解錠信号を受信すると、監視カメラの撮像映像をモニタに出画させる出画制御手段を有することを特徴とする。
この構成によれば、集合玄関のオートドアを解錠操作した時に、廊下等に設置された監視カメラの撮像映像を集合玄関機で見ることができるので、帰宅者は集合住宅内に入る前に共用部に不審者がいないかどうか確認することができ、防犯に効果を奏する。
【０００６】
請求項３の発明は、集合玄関に設置されて居住者を呼び出すためのカメラ付の集合玄関機と、各フロアに設置されて居住者を呼び出すためのカメラ付のフロア玄関機と、集合玄関機及びフロア玄関機の夫々に対応して設置されたオートドア設備と、各住戸内に設置されて呼び出しに応答するための居室親機と、集合玄関機、フロア玄関機と居室親機の間の通話等を制御する制御機とを有し、訪問先住戸に達するまでに少なくとも２つのオートドア設備の通過を必要とする集合住宅インターホンシステムであって、集合玄関機は、フロア玄関機のカメラ撮像映像を出画するモニタを備える一方、制御機は、集合玄関機が呼出操作されると、フロア玄関機カメラの撮像映像をモニタに出画させる出画制御手段を有することを特徴とする。
この構成によれば、訪問先を呼び出した時に、次に進むことになるフロアの状況を集合玄関機で見ることができるので、来訪者は集合住宅内に入る前にフロアに不審者がいないかどうか確認することができる。よって、防犯に効果を奏するし、来訪者を撮像するためのカメラを使用すれば、別途カメラを設置する必要がない。
【０００７】
請求項４の発明は、集合玄関に設置されて居住者を呼び出すためのカメラ付の集合玄関機と、各フロアに設置されて居住者を呼び出すためのカメラ付のフロア玄関機と、集合玄関機及びフロア玄関機の夫々に対応して設置されたオートドア設備と、各住戸内に設置されて呼び出しに応答するための居室親機と、集合玄関機、フロア玄関機と居室親機の間の通話等を制御する制御機とを有し、帰宅するまでに少なくとも２つのオートドア設備の通過を必要とする集合住宅インターホンシステムであって、集合玄関機は、対応したオートドア設備を解錠するための電気錠キー読み取り装置が接続され、解錠操作を受けて読み取った解錠信号を制御機に送信する玄関機制御手段を有すると共に、監視カメラ等の撮像映像を出画するモニタを備え、制御機は、集合玄関機から解錠信号を受信すると、フロア玄関機カメラの撮像映像をモニタに出画させる出画制御手段を有することを特徴とする。
この構成によれば、集合玄関のオートドアを解錠操作した時に、次に進むことになるフロアの状況を集合玄関機で見ることができるので、帰宅者は集合住宅内に入る前にフロアに不審者がいないかどうか確認することができる。よって、防犯に効果を奏するし、来訪者を撮像するためのカメラを使用すれば、別途カメラを設置する必要がない。
【０００８】
請求項５の発明は、集合玄関に設置されて居住者を呼び出すためのカメラ付の集合玄関機と、各フロアに設置されて居住者を呼び出すためのカメラ付のフロア玄関機と、集合玄関機及びフロア玄関機の夫々に対応して設置されたオートドア設備と、各住戸内に設置されて呼び出しに応答するための居室親機と、廊下等共用部に設置された監視カメラと、集合玄関機、フロア玄関機と居室親機との間の通話等を制御する制御機とを有し、訪問先住戸に達するまでに少なくとも２つのオートドア設備の通過を必要とする集合住宅インターホンシステムであって、集合玄関機及びフロア玄関機は、カメラ或いは監視カメラの撮像映像を出画するモニタを備える一方、制御機は、集合玄関機が呼び出し操作されると、フロア玄関機のカメラ、監視カメラの少なくとも何れかの撮像映像を集合玄関機のモニタに出画させ、フロア玄関機が呼び出し操作されたら監視カメラの撮像映像をフロア玄関機のモニタに出画させる出画制御手段を有することを特徴とする。
この構成によれば、呼出操作を受けた集合玄関機やフロア玄関機は、これから進む共用部をモニタに出画するので、来訪者は集合住宅内に不審者がいないかどうかその都度確認することができ、防犯に効果を奏する。
【０００９】
請求項６の発明は、集合玄関に設置されて居住者を呼び出すためのカメラ付の集合玄関機と、各フロアに設置されて居住者を呼び出すためのカメラ付のフロア玄関機と、集合玄関機及びフロア玄関機の夫々に対応して設置されたオートドア設備と、各住戸内に設置されて呼び出しに応答するための居室親機と、廊下等の共用部に設置された監視カメラと、集合玄関機、フロア玄関機と居室親機との間の通話等を制御する制御機とを有し、帰宅するまでに少なくとも２つのオートドア設備の通過を必要とする集合住宅インターホンシステムであって、集合玄関機及びフロア玄関機は、対応したオートドア設備を解錠するための電気錠キー読み取り装置が接続され、解錠操作を受けて読み取った解錠信号を制御機に送信する玄関機制御手段を有すると共に、監視カメラ等の撮像映像を出画するモニタを備え、制御機は、集合玄関機から解錠信号を受信すると、フロア玄関機カメラ、監視カメラの少なくとも何れかの撮像映像を集合玄関機のモニタに出画させ、フロア玄関機から解錠信号を受信すると、監視カメラの撮像映像をフロア玄関機のモニタに出画させる出画制御手段を有することを特徴とする。
この構成によれば、解錠操作に連動して集合玄関機、フロア玄関機の双方で、これから進む共用部の状況をモニタに出画するので、帰宅者は集合住宅内に不審者がいないかどうかその都度確認することができ、防犯に効果を奏する。
【００１０】
請求項７の発明は、請求項５または６に記載の発明において、制御機は、各住戸とフロア玄関機カメラ、監視カメラとを関連付けたカメラ情報を記憶するカメラ情報記憶手段を有し、出画制御手段は、受信した集合玄関機或いはフロア玄関機からの呼出先情報、又は解錠信号に含まれる住戸情報に基づいて、カメラ情報から関連するカメラを選択し、モニタに出画する制御を行うことを特徴とする。
この構成により、訪問先住戸或いは帰宅した居住者の住戸に応じて集合玄関からのルートに設置されたカメラの撮像映像を選択してモニタに出画させることができる。よって、来訪者は訪問先までの共用部の状況を、帰宅者は自宅までの共用部の状況を知ることができ、途中に不審者がいないかどうかスムーズに確認できる。
【００１１】
請求項８の発明は、請求項７に記載の発明において、出画制御手段は、カメラ情報記憶手段に出画すべきカメラが複数登録されている場合は、登録されたフロア玄関機カメラ、監視カメラの撮像映像を順次切り替えてモニタに出画させることを特徴とする。
この構成によれば、途中に複数の防犯カメラが設置されている場合は全ての映像を順次見ることができ、防犯に効果を奏する。
【発明の効果】
【００１２】
本発明によれば、集合玄関機或いはフロア玄関機が呼び出し操作されると、これから進む共用部が集合玄関機或いはフロア玄関機のモニタに出画されるので、来訪者は集合住宅内に不審者がいないかどうか確認してから入ることができ、防犯に効果を奏する。
また、オートドア設備が解錠操作されると、これから進む共用部が集合玄関機或いはフロア玄関機のモニタに出画されるので、帰宅者は集合住宅内に不審者がいないかどうか確認してから入ることができ、防犯に効果を奏する。
【発明を実施するための最良の形態】
【００１３】
以下、本発明を具体化した実施の形態を、図面に基づいて詳細に説明する。図１は本発明に係る集合住宅インターホンシステムの一例を示す構成図であり、ここでは集合玄関から個々の居室に到着するまでに２つのオートドアを通過する構成を示している。
【００１４】
図１において、１は集合玄関に設置された集合玄関機、２は集合玄関に設置されたオートドア設備、３はオートドア設備２を解錠するための電気錠キー読み取り装置、４は各住戸に設置された居室親機、５ａは１階フロアに設置された１階フロア玄関機、６ａは１階フロア玄関機５ａに対応して設置され、１階の住戸を訪問する際通過する１階オートドア設備、７ａは１階オートドア設備６ａを解錠するための電気錠キー読み取り装置、５ｂは２階フロアに設置された２階フロア玄関機、６ｂは２階フロア玄関機５ｂに対応して設置され、２階の住戸を訪問する際通過する２階オートドア設備、７ｂは２階オートドア設備６ｂを解錠するための電気錠キー読み取り装置、５ｃは３階フロアに設置された３階フロア玄関機、６ｃは３階フロア玄関機５ｃに対応して設置され、３階の住戸を訪問する際通過する３階オートドア設備、７ｃは３階オートドア設備６ｃを解錠するための電気錠キー読み取り装置、８は管理室に設置された管理室親機、９はシステムを制御する制御機、１０ａ〜１０ｃは各フロアの廊下に設置された監視カメラである。
【００１５】
集合玄関機１、居室親機４、フロア玄関機５ａ〜５ｃ、管理室親機８は夫々伝送線Ｍ１〜Ｍ４により制御機９に接続され、オートドア設備２，６ａ〜６ｃは夫々対応した電気錠キー読み取り装置３，７ａ〜７ｃに接続され、この電気錠キー読み取り装置３，７ａ〜７ｃは、夫々対応した集合玄関機１或いはフロア玄関機５ａ〜５ｃに接続されている。
【００１６】
図２は集合玄関機１と制御機９の回路ブロック図を示している。集合玄関機１は、来訪者を撮像する為のカメラを備えたカメラ部１５、監視カメラ１０ａ〜１０ｃ等の撮像映像を出画するＬＣＤから成るモニタ１６、テンキー等を備えた操作部１７、マイク及びスピーカを備えた通話部１８、オートドア設備２を制御して電気錠キー読み取り装置３と通信するための第１通信回路１９、制御機９と音声、映像、制御信号を送受するための第２通信回路２０、ＣＰＵを備えて集合玄関機１を制御する集合玄関機制御回路（玄関機制御手段）２１を備えている。
【００１７】
尚、フロア玄関機５ａ〜５ｃは集合玄関機１と同一の構成であり説明を省略する。また、電気錠キー読み取り装置３は、例えば居住者の携行するＩＤカード等からなる電気錠キーから情報を読み取り、登録されている情報と一致したら認証し、オートドア設備を解錠するよう構成され、読み取ったＩＤ情報は集合玄関機１に送信される。更に、モニタ１６の前面には操作部１７であるタッチパネルが配置されて構成され、モニタ１６と操作部１７は一体に形成されている。
【００１８】
制御機９は、監視カメラ１０（１０ａ〜１０ｃ）から映像信号を受信し、制御信号を送信するための第１通信回路２３、集合玄関機１と音声、映像、制御信号を送受するための第２通信回路２４、フロア玄関機５ａ〜５ｃと映像、制御信号を送受するための第３通信回路２５、居室親機４と音声、映像、制御信号を送受するための第４通信回路２６、管理室親機８と音声、映像、制御信号を送受するための第５通信回路２９、居室番号ごとに来訪者或いは住居者が進むルートに配置されたカメラ情報が記憶されている制御機メモリ２７（カメラ情報記憶手段）、制御機９を制御する制御機制御回路２８（出画制御手段）を備えている。
【００１９】
このように構成された集合住宅インターホンシステムは次のように動作する。尚、集合玄関機１、フロア玄関機５ａ〜５ｃから居室親機４を呼び出した後に居室親機４との間の通話動作、呼出操作を受けて集合玄関機１或いはフロア玄関機５ａ〜５ｃのカメラ部１５が起動し居室親機４に備えられたモニタで出画する機能については従来と同様であるので説明を省略し、ここでは集合玄関機１或いはフロア玄関機５ａ〜５ｃを操作した場合の集合玄関機１或いはフロア玄関機５ａ〜５ｃのモニタ１６の出画動作、或いはオートドア設備２，６ａ〜６ｃを解錠操作した場合のモニタ１６の出画動作を説明する。
【００２０】
集合玄関機１が来訪者により呼出操作された場合、次のように動作する。来訪者の訪問先が例えば２０１号室（２階の住戸）である場合、集合玄関機１が操作されて２０１号室の呼び出しが成される。この操作により、呼出信号が制御機９を介して２０１号室の居室親機４に伝送され、２０１号室の居室親機４が呼出報知動作を開始する。こうして、来訪者と居住者との間で通話が実施され、居室親機４の操作で集合玄関のオートドア設備２の解錠操作が行われる（詳述せず）。
【００２１】
一方この呼出操作を受けて、制御機９の制御機制御回路２８は、居室番号情報を基に制御機メモリ２７に記憶されているカメラ情報から集合玄関から２０１号室までのルートのカメラ情報を入手し、来訪者が進むルート上のカメラが［１階フロア玄関機５ａのカメラ部１５のカメラ］→［２階フロア玄関機５ｂのカメラ部１５のカメラ］→［２階の監視カメラ１０ｂ］であることを認識し、その内これから進むルートで一番近い１階フロア玄関機５ａのカメラの撮像映像から順次集合玄関機１のモニタ１６に出画させるように制御する。この映像は設定された時間（例えば５秒）毎に切り替わってルート順に出画される。
この出画は、映像を見た来訪者により集合玄関機１の停止ボタン（図示せず）を操作することで出画動作は終了する。
【００２２】
その後、安全を確認した来訪者が居住者により開けられた集合玄関のオートドア設備２、及び１階フロアを通過してエレベータ等で２階フロアまで進むと、２階フロアに備えられているオートドアを通るために２階フロア玄関機５ｂを操作して再度２０１号室の居住者を呼び出す。この操作により、集合玄関機１と同様に２階フロア玄関機５ｂと２０１号室の居室親機４との間で通話路が形成され２０１号室の居住者により解錠操作される。
【００２３】
そして、制御機９の制御機制御回路２８は、制御機メモリ２７に記憶されているカメラ情報から、２階フロア玄関から２０１号室までのルート上のカメラ情報を入手し、来訪者が進むルート上のカメラが［２階の監視カメラ１０ｂ］であることを認識し、２階の監視カメラ１０ｂの映像を２階フロア玄関機５ｂのモニタ１６に出画させる制御を行う。こうして、来訪者は２０１号室前の廊下の安全を確認したあと、２０１号室を訪問する。
尚、このモニタ１６の出画は、２階フロア玄関機５ｂの停止ボタン（図示せず）を操作することで終了する。
【００２４】
このように、呼出操作する毎に、集合玄関機、フロア玄関機の双方で、これから進む共用部の状況をモニタに出画するので、来訪者は集合住宅内に不審者がいないかどうか集合玄関機やフロア玄関機から確認することができ、防犯に効果を奏する。そして、この場合、選択した住戸に応じて集合玄関から進むルートに設置されたカメラの撮像映像を選択してモニタに出画するので、来訪者は訪問先までの共用部の状況を知ることができ、不審者の有無等をスムーズに確認できる。
また、途中に複数のカメラが設置されている場合は、自動で切り替わって全ての映像を順次見ることができるので、防犯に効果を奏する。
【００２５】
一方、居住者が帰宅した場合は以下のようである。例えば３０１号室（３階の住戸）の住居者が帰宅した場合、集合玄関１の電気錠キー読み取り装置３が居住者が携行する電気錠キーで解錠操作を受ける。電気錠キー読み取り装置３は、読み取った解錠信号を集合玄関機１へ送信し、集合玄関機１は受信した解錠信号のうち居室番号情報を制御機９に伝送する。また読み取った解錠信号が登録されている情報と一致したら認証し、オートドア設備２を解錠する。
【００２６】
制御機制御回路２８は、受信した居室番号情報を基に、制御機メモリ２７に記憶されているカメラ情報から、集合玄関から３０１号室までのルートに配置されたカメラ情報を入手し、帰宅者が進むルート上のカメラが「１階フロア玄関機５ａのカメラ部１５のカメラ］→［３階フロア玄関機５ｃのカメラ部１５のカメラ］→［３階の監視カメラ１０ｃ］であることを認識し、これから進むルートで一番近い１階フロア玄関機５ａのカメラの撮像映像から順次集合玄関機１のモニタ１６に出画するように制御する。この映像は設定された時間（例えば５秒）毎に切り替わってルート順に出画される。
そして、この出画は、映像を見た帰宅者により集合玄関機１の停止ボタン（図示せず）を操作することで出画動作は終了する。
【００２７】
こうして、安全を確認した帰宅者（３０１号室の居住者）が３階フロアまで行き、３階オートドア設備６ｃの電気錠キー読み取り装置７ｃが電気錠キーの解錠操作を受けると、３階フロア玄関機５ｃは集合玄関の場合と同様に、受信した解錠信号のうち居室番号情報を制御機９に伝送する。また電気錠キー読み取り装置７ｃは、読み取った解錠信号が登録されている情報と一致したら認証し、３階オートドア設備６ｃを解錠する。
【００２８】
制御機９の制御回路２８は、制御機メモリ２７に記憶されているカメラ情報から、受信した居室番号情報を基に３階フロア玄関から３０１号室までのルート上のカメラ情報を入手し、帰宅者が進むルート上のカメラが［３階の監視カメラ１０ｃ］であることを認識し、３階の監視カメラ１０ｃの撮像映像を３階フロア玄関機５ｃのモニタ１６に出画させる制御を行う。この出画された映像を見て、３０１号室前の廊下の安全を確認した居住者は、３０１号室に帰宅する。
尚、このモニタ１６の出画は、帰宅者により３階フロア玄関機５ｃの停止ボタン（図示せず）を操作することで終了する。
【００２９】
このように、解錠操作に連動して、集合玄関機、フロア玄関機の双方で、これから進む共用部の状況をモニタに出画するので、帰宅者は集合住宅内に不審者がいないかどうか集合玄関機やフロア玄関機から確認することができ、防犯に効果を奏する。
そして、この場合、居住者の住戸位置に応じて、集合玄関から進むルートに設置されたカメラの撮像映像を選択してモニタに出画するので、帰宅者は自宅までの共用部の状況を知ることができ、不審者の有無等をスムーズに確認できる。
【００３０】
尚、上記実施形態は、モニタ１６は集合玄関機１或いはフロア玄関機５ａ〜５ｃに内蔵されているが、分離して設けても良い。分離させることで容易に画面を大きく映像を見やすくでき、高齢者であっても確認し易くなる。
また、ルート上に複数のカメラがある場合に、自動で順次切り替える構成となっているが、自動にせずに出画している集合玄関機１或いはフロア玄関機５ａ〜５ｃの所定の操作で次の映像に切り替えるようにしても良い。
更に、集合玄関機１のモニタ１６には、フロア玄関機５ａ〜５ｃのカメラと監視カメラ１０ａ〜１０ｃの双方の撮像映像が出画される構成となっているが、何れか一方の撮像映像のみ出画させるだけでも良く、防犯に効果を奏する。
また、モニタ１６がカメラ撮像映像を出画した後、停止或いは待ち受け画面へ戻る制御は、操作が終了してから所定時間が経過したら自動で戻るようにしても良いし、オートドアに連動させて閉まったら出画を停止するようにしても良い。また、オートドア設備を２重に設けた集合住宅を説明したが、集合玄関のみにオートドア設備が設置された構成であっても、本発明の構成は容易に適用でき、防犯に効果を奏する。
【図面の簡単な説明】
【００３１】
【図１】本発明の実施形態の一例を示す集合住宅インターホンシステムの構成図である。
【図２】集合玄関機及び制御機の回路ブロック図である。
【符号の説明】
【００３２】
１・・集合玄関機、２・・オートドア設備、３・・電気錠キー読み取り装置、４・・居室親機、５ａ〜５ｃ・・フロア玄関機、６ａ〜６ｃ・・オートドア設備、７ａ〜７ｃ・・電気錠キー読み取り装置、９・・制御機、１０ａ〜１０ｃ・・監視カメラ、１５・・カメラ部、１６・・モニタ、１７・・操作部、２１・・集合玄関機制御回路（玄関機制御手段）、２７・・制御機メモリ（カメラ情報記憶手段）、２８・・制御機制御回路（出画制御手段）。
【図１】
2008079107.tif 000003
【図２】
2008079107.tif 000004